(57)【要約】【課題】ディスク再生装置において、所定の規格の多層ディスクの多層成分を正確に認識できるようにする。【解決手段】複数の同一規格の記録層を含む光ディスク媒体９０を再生し、光学系１１を含むディスク再生装置において、対物レンズ１１ｊをその可動限界の一方から他方まで移動させるまでの間、ビームエキスパンダ１１ｉを動作させることによって対物レンズ１１ｊの位置に応じて変化する球面収差を補正しながら、ＦＥ信号のＳカーブを計数する。計数したＦＥ信号のＳカーブの数に従って、光ディスク媒体９０が備える記録面の層数を検出する。【選択図】図２
2008103039.tif 000002
【特許請求の範囲】
【請求項１】
レーザ光を照射し、複数の同一規格の記録層を含む光ディスクを再生するディスク再生装置であって、
レーザ光を照射する照射手段と、
前記照射手段により照射されたレーザ光を受光し、電気信号に変換する電気信号変換手段と、
前記照射手段が照射したレーザ光を、前記光ディスクに集光させ、その反射光を前記電気信号変換手段に導く光学系と、
前記電気信号変換手段により変換された電気信号をフォーカス誤差信号に変換する誤差信号変換手段と、
前記誤差信号変換手段により変換されたフォーカス誤差信号においてＳカーブを検出するＳカーブ検出手段と、
前記光学系に含まれる対物レンズをフォーカス方向に移動させる対物レンズ移動手段と、
前記対物レンズ移動手段が前記対物レンズを所定の範囲で移動させる間、前記Ｓカーブ検出手段によりＳカーブを検出した回数を計数し、前記光ディスクが備える記録層の数を検出する層数検出手段と、
前記層数検出手段によりＳカーブを検出した回数を計数する際に、前記対物レンズの位置に応じて変化する球面収差を補正するように、前記光学系に含まれる球面収差補正素子を移動させ、制御する制御手段と、を備える
ことを特徴とするディスク再生装置。
【請求項２】
前記層数検出手段によりＳカーブを検出したときの、前記対物レンズ移動手段により移動した対物レンズの位置と前記制御手段により移動した前記球面収差補正素子の位置とを、対応付けて記憶する記憶手段と、
前記記憶手段が記憶している対物レンズの位置に前記対物レンズを移動させ、前記記憶手段が記憶していて、且つ、当該対物レンズの位置に対応している球面収差補正素子の位置に前記球面収差補正素子を移動させ、前記光ディスクを再生する再生手段と、を備える
ことを特徴とする請求項１に記載のディスク再生装置。
【請求項３】
前記層数検出手段は、フォーカス誤差信号において、所定の閾値以下の振幅のＳカーブを計数しない、
ことを特徴とする請求項１又は２に記載のディスク再生装置。
【請求項４】
前記層数検出手段は、Ｓカーブを検出した回数から一を減算する、
ことを特徴とする請求項１又は２に記載のディスク再生装置。
【請求項５】
前記層数検出手段は、前記対物レンズ移動手段が前記対物レンズを所定の範囲において移動させ、移動を開始させてから所定の時間内に受光した反射光を計数しない、
ことを特徴とする請求項１又は２に記載のディスク再生装置。
【発明の詳細な説明】
【技術分野】
【０００１】
本発明は、ディスク再生装置に関する。
【背景技術】
【０００２】
現在、ディスク再生装置の対物レンズの球面収差を補正する手段として、ビームエキスパンダを使用した方法が用いられている。ディスク再生装置は、メディアが判別されているディスク再生時に、事前に測定した最適な球面収差補正値の電圧をビームエキスパンダに供給し、球面収差を補正する。（例えば、特許文献１参照）
【０００３】
一方で、現在、ディスク媒体の容量を増大するために、記録層の多層化や、記録密度の向上に伴うレーザの短波長化が進められている。そのような状況下で、次世代光ディスクの規格として、ＢＤ（Blu-ray Disc）規格があり、ＢＤ規格のディスク再生装置やディスク媒体の商品化が進められている。
【０００４】
この様なＢＤ規格のディスク再生装置の対物レンズはＮＡ（Numerical Aperture；開口数）が大きく、球面収差が発生し易い。そのため、ＢＤ規格の多層ディスクの場合、層ごとに最適な球面収差補正値が大きく異なる。
【０００５】
特許文献２に記述されている技術では、ＢＤ規格を含むメディア判別のためのフォーカスアップまたはダウン時に、球面収差補正値が固定されていて球面収差が補正されていないため、ＦＥ信号においてＳカーブが小さくなる層も存在し、正確に記録面の層数を検出ができなかった。
【特許文献１】特開２００３−２５７０６９号公報
【特許文献２】特開２００５−２５９２５２号公報
【発明の開示】
【発明が解決しようとする課題】
【０００６】
本発明は、上記問題点に鑑みてなされたもので、所定の規格の多層ディスクにおいて、正確に記録面の層数を検出でき、且つ、再生までに要する時間を短縮することのできるディスク再生装置を提供することを目的とする。
【課題を解決するための手段】
【０００７】
上記目的を達成するため、本発明の観点に係るディスク再生装置は、
レーザ光を照射し、複数の同一規格の記録層を含む光ディスクを再生するディスク再生装置であって、
レーザ光を照射する照射手段と、
前記照射手段により照射されたレーザ光を受光し、電気信号に変換する電気信号変換手段と、
前記照射手段が照射したレーザ光を、前記光ディスクに集光させ、その反射光を前記電気信号変換手段に導く光学系と、
前記電気信号変換手段により変換された電気信号をフォーカス誤差信号に変換する誤差信号変換手段と、
前記誤差信号変換手段により変換されたフォーカス誤差信号においてＳカーブを検出するＳカーブ検出手段と、
前記光学系に含まれる対物レンズをフォーカス方向に移動させる対物レンズ移動手段と、
前記対物レンズ移動手段が前記対物レンズを所定の範囲で移動させる間、前記Ｓカーブ検出手段によりＳカーブを検出した回数を計数し、前記光ディスクが備える記録層の数を検出する層数検出手段と、
前記層数検出手段によりＳカーブを検出した回数を計数する際に、前記対物レンズの位置に応じて変化する球面収差を補正するように、前記光学系に含まれる球面収差補正素子を移動させ、制御する制御手段と、を備える
ことを特徴とする。
【０００８】
例えば、前記層数検出手段によりＳカーブを検出したときの、前記対物レンズ移動手段により移動した対物レンズの位置と前記制御手段により移動した前記球面収差補正素子の位置とを、対応付けて記憶する記憶手段と、
前記記憶手段が記憶している対物レンズの位置に前記対物レンズを移動させ、前記記憶手段が記憶していて、且つ、当該対物レンズの位置に対応している球面収差補正素子の位置に前記球面収差補正素子を移動させ、前記光ディスクを再生する再生手段と、を備える
ことを特徴としてもよい。
【０００９】
例えば、前記層数検出手段は、フォーカス誤差信号において、所定の閾値以下の振幅のＳカーブを計数しない、
ことを特徴としてもよい。
【００１０】
例えば、前記層数検出手段は、Ｓカーブを検出した回数から一を減算する、
ことを特徴としてもよい。
【００１１】
例えば、前記層数検出手段は、前記対物レンズ移動手段が前記対物レンズを所定の範囲において移動させ、移動を開始させてから所定の時間内に受光した反射光を計数しない、
ことを特徴としてもよい。
【発明の効果】
【００１２】
本発明によれば、所定の規格の多層ディスクにおいて、正確に層数を検出でき、且つ、再生までに要する時間を短縮することのできるディスク再生装置を提供できる。
【発明を実施するための最良の形態】
【００１３】
（第１の実施形態）
以下、本発明の実施形態に係るディスク再生装置１００について説明する。このディスク再生装置１００は、図１に示すように、光ピックアップ１０と信号生成回路２０と信号処理回路３０と制御部４０とフォーカス・トラッキングドライバ回路５０とスピンドルモータドライバ回路６０とステッピングモータドライバ回路７０とスピンドルモータ８０とから構成される。ただし、レーザ光を制御するためのＡＰＣ（Automatic Power Control）回路は、簡略化のため省略されている。また、ディスク再生装置１００は、光ディスク媒体９０を装填し、記録されている情報を読み出す。
【００１４】
光ピックアップ１０は、レーザ光を光ディスク媒体９０に照射して、その反射信号を電気信号に変換し、信号生成回路２０に供給する。光ピックアップ１０は、図１に示すように、光学系１１とフォーカス・トラッキングアクチュエータ１２とステッピングモータ１３とから構成される。
【００１５】
光学系１１は、図２に示すように、ＬＤ（Laser Diode）１１ａとコリメータレンズ１１ｂとビーム成形プリズム１１ｃと偏光ビームスプリッタ１１ｄとＡＰＣ（Automatic Power Control）用受光素子１１ｅと１／４波長板１１ｆとビームエキスパンダ１１ｉと対物レンズ１１ｊと偏光ビームスプリッタ１１ｋと受光素子１１ｌと受光素子１１ｍとを備える。
【００１６】
ＬＤ（Laser Diode）１１ａは、波長が４０５ｎｍの青紫色半導体レーザを照射する光源である。
【００１７】
コリメータレンズ１１ｂは、ＬＤ１１ａにより照射されたレーザ光を平行にする。
【００１８】
ビーム成形プリズム１１ｃは、コリメータレンズ１１ｂにより平行にされたレーザ光を楕円ビームから円形ビームに成形する。
【００１９】
偏光ビームスプリッタ１１ｄは、ＬＤ１１ａより照射されたレーザ光の一部を透過させ、ビームエキスパンダ１１ｉに供給し、一部を反射させ、ＡＰＣ用受光素子１１ｅに供給する。また、偏光ビームスプリッタ１１ｄは、光ディスク媒体９０が反射したレーザ光の一部を反射し、偏光ビームスプリッタ１１ｋに供給する。
【００２０】
ＡＰＣ用受光素子１１ｅは、偏光ビームスプリッタ１１ｄが反射したレーザ光を集光し、電気信号に変換する。変換された電気信号は、ＬＤ１１ａのレーザ出力を調整するために使用される。ここでは、レーザ出力を調整する機構は省略する。
【００２１】
１／４波長板１１ｆは、偏光ビームスプリッタ１１ｄを透過したレーザ光を直線偏光から円偏光に変換する。
【００２２】
ビームエキスパンダ１１ｉは、光ディスク媒体９０の保護層の厚さの違いや誤差により発生する球面収差を補正するようにステッピングモータ１３によって駆動される。ビームエキスパンダ１１ｉは、凹レンズ１１ｇと凸レンズ１１ｈとから構成され、凹レンズ１１ｇは、ステッピングモータ１３によって、図３に示すように光軸方向に駆動する。凹レンズ１１ｇは、凸レンズ１１ｈとの距離を変化させることで球面収差を補正する。即ち、凹レンズ１１ｇは、球面収差補正素子として機能する。
【００２３】
対物レンズ１１ｊは、ＬＤ１１ａから照射されたレーザ光を光ディスク媒体９０の記録面上に集光する。また、対物レンズ１１ａは、フォーカス・トラッキングアクチュエータ１２によってフォーカス方向とトラッキング方向とに可動し、レーザ光の焦点位置を調整する。
【００２４】
偏光ビームスプリッタ１１ｋは、偏光ビームスプリッタ１１ｄから供給されたレーザ光の一部を透過し、受光素子１１ｍに供給し、一部を反射し、受光素子１１ｌに供給する。
【００２５】
受光素子１１ｌは、偏光ビームスプリッタ１１ｋで反射したレーザ光を集光し、電気信号に変換する。受光素子１１ｌが変換した電気信号は、非点収差法によるＦＥ（Focus Error）信号の検出に用いられる。
【００２６】
受光素子１１ｍは、偏光ビームスプリッタ１１ｋを透過したレーザ光を集光し、電気信号に変換する。受光素子１１ｍが変換した電気信号は、ＲＦ（Radio Frequency）信号およびプッシュプル方式のＴＥ（Tracking Error）信号の検出に用いられる。
【００２７】
上記のＡＰＣ用受光素子１１ｅや受光素子１１ｌ、１１ｍには、波長４０５ｎｍの光を受光し、電気信号に変換するのに最適化されたシリコンＰＩＮフォトダイオードが用いられる。
【００２８】
フォーカス・トラッキングアクチュエータ１２は、フォーカス・トラッキングドライバ回路５０より供給された電圧により対物レンズ１１ｊをフォーカス方向とトラッキング方向とに駆動させることによって、レーザ光の焦点位置を移動させる。
【００２９】
ステッピングモータ１３は、ステッピングモータドライバ回路７０より供給された電圧によりビームエキスパンダ１１ｉの凹レンズ１１ｇを、図３に示すような光軸方向に駆動させ、球面収差を補正する。
【００３０】
信号生成回路２０は、光ピックアップ１０から供給された電気信号をデコードし、ＲＦ信号とＦＥ信号とＴＥ信号とを生成する。それから、ＲＦ信号を信号処理回路３０の復調回路３２に供給し、ＦＥ信号とＴＥ信号とを信号処理回路３０の位相補償回路３１に供給する。
【００３１】
信号処理回路３０は、制御部４０の制御にもとづいてＲＦ信号やＦＥ信号やＴＥ信号に処理を施す。信号処理回路３０は、位相補償回路３１と復調回路３２とＰＬＬ（Phase Locked Loop）回路３３とから構成される。
【００３２】
位相補償回路３１は、信号生成回路２０から供給されたＦＥ信号とＴＥ信号とに位相補償を施し、光ピックアップ１０から照射されるレーザ光の焦点位置を制御するアクチュエータ制御信号を生成する。
【００３３】
復調回路３２は、信号生成回路２０より供給されたＲＦ信号をデコードし、光ディスク媒体９０に記録されているデジタル信号を制御部４０に供給する。また、復調回路３２は、ＲＦ信号に含まれる同期信号を抽出し、ＰＬＬ回路３３に供給する。
【００３４】
ＰＬＬ回路３３は、復調回路３２より供給された同期信号と制御部４０により定められた基準信号との位相差に応じたスピンドルモータ制御信号を生成する。
【００３５】
制御部４０は、ＣＰＵ（Central Processing Unit）やＲＯＭ（Read Only Memory）やＲＡＭ（Random Access Memory）等から構成され、ディスク再生装置１００全体を制御する。例えば、制御部４０は、ステッピングモータ制御信号を生成し、ステッピングモータドライバ回路７０に供給する。
【００３６】
フォーカス・トラッキングドライバ回路５０は、光ピックアップ１０の対物レンズ１１ｊを駆動させるフォーカス・トラッキングアクチュエータ１２を動作させるために、位相補償回路３１より供給されたアクチュエータ制御信号に応じた電圧をフォーカス・トラッキングアクチュエータ１２に供給する。
【００３７】
スピンドルモータドライバ回路６０は、スピンドルモータ８０を駆動させるために、ＰＬＬ回路３３より供給されたスピンドルモータ制御信号に応じた電圧をスピンドルモータ８０に供給する。
【００３８】
ステッピングモータドライバ回路７０は、ビームエキスパンダ１１ｉを駆動させるために、制御部４０より供給されたステッピングモータ制御信号に応じた電圧をステッピングモータ１３に供給する。特に、制御部４０により球面収差を補正するように制御されたステッピングモータ制御信号に応じた電圧値を球面収差補正値Ｒとする。
【００３９】
スピンドルモータ８０は、スピンドルモータドライバ回路７０より供給された電圧により駆動し、光ディスク媒体９０を回転駆動させる。
【００４０】
光ディスク媒体９０は、ＢＤ規格の一層又は多層ディスクであるとする。現在、８層までのＢＤ規格の記録面を備える光ディスク媒体が計画されている。例えば、図４（ａ）に示す一層構成のＢＤ規格の光ディスク媒体９０（１）においては、ディスク表面９２（１）からＢＤ記録面９１（１）までの距離は、０．１ｍｍであり、ディスク自体の厚さは１．２ｍｍである。図４（ｂ）に示す八層構成のＢＤ規格の光ディスク媒体９０（２）は、ディスク表面９２（２）から７５μｍ〜１００μｍの領域９１（２）に８枚のＢＤ記録面Ｌ０〜Ｌ７を備える。また、他のディスクと同様に、ディスクの厚さは１．２ｍｍである。
【００４１】
以下、上記構成を有するディスク再生装置１００の動作を説明する。
【００４２】
先ず、球面収差補正値Ｒの検出方法について説明する。ディスク再生装置１００は、ＬＤ１１ａにレーザ光を照射させ、所定の速度で対物レンズ１１ｊを駆動させ、フォーカスアップサーチ若しくはフォーカスダウンサーチを開始する。ディスク再生装置１００は、ＦＥ信号においてＳカーブを検出したら、フォーカスの引き込みを行う。そして、ディスク再生装置１００は、ＲＦ信号が最も強くなるようにステッピングモータ１３にかける電圧を変化させ、球面収差を補正し、その電圧値を球面収差補正値Ｒｉとして記憶する。同時に、ディスク再生装置１００は、フォーカスアクチュエータ１２にかけている電圧値を対物レンズ駆動値Ｐｉとして記憶する。
【００４３】
次に、図５を参照して、ディスク再生装置１００が、光ディスク媒体９０の記録面を計数する動作の概要を説明する。
【００４４】
ディスク再生装置１００は、ダウンスイープ又はアップスイープを行い、ＦＥ信号のＳカーブを検出したら、球面収差を補正するようにビームエキスパンダ１１ｉの凹レンズ１１ｇの位置を調整する。次に、ディスク再生装置１００は、対物レンズ１１ｊの移動に応じて変化する球面収差を補正するように予め決定された所定の速度でビームエキスパンダ１１ｉの凹レンズ１１ｇの移動を開始させる。ディスク再生装置１００は、再び、ＦＥ信号のＳカーブを検出したら、球面収差を補正するように凹レンズ１１ｇの位置を調整する。
【００４５】
このように、ディスク再生装置１００は、ダウンサーチ又はアップサーチを行う間、Ｓカーブ検出時の凹レンズ１１ｇの位置の調整とそれに続く所定の速度での凹レンズ１１ｇの移動とを繰り返す。これによって、ディスク再生装置１００は、球面収差を小さくしながらＦＥ信号のＳカーブを検出でき、そのため、正確に記録面の層数を計数できる。
【００４６】
ここで、本発明の第１の実施形態に係るディスク再生装置１００が行うディスク層計数処理について図６を参照して詳細に説明する。
【００４７】
先ず、光ディスク媒体９０がディスク再生装置１００に装填されると、制御部４０は、スピンドルモータドライバ回路６０を制御して、光ディスク媒体９０を所定の回転速度で回転開始させる（ステップＳ１０１）。
【００４８】
制御部４０は、フォーカス・トラッキングドライバ回路５０を制御して対物レンズ１１ｊのアップスイープを開始する（ステップＳ１０２）。
【００４９】
制御部４０は、対物レンズ１１ｊが駆動上限に達したか否かを判別する（ステップＳ１０３）。
【００５０】
対物レンズ１１ｊが駆動上限に達していないと判別すると（ステップＳ１０３；Ｎｏ）、アップスイープを続け、ステップＳ１０３に戻る。
【００５１】
対物レンズ１１ｊが駆動上限に達したと判別すると（ステップＳ１０３；Ｙｅｓ）、制御部４０は、対物レンズ１１ｊのアップスイープを停止する（ステップＳ１０４）。
【００５２】
制御部４０は、ＬＤ１１ａに青紫レーザ光を照射させる（ステップＳ１０５）。
【００５３】
制御部４０は、フォーカス・トラッキングドライバ回路５０を制御して対物レンズ１１ｊのダウンスイープを開始する（ステップＳ１０６）。
【００５４】
制御部４０は、光ディスク媒体９０の記録面の層数を特定するために、カウンタｎに「０」を代入する（ステップＳ１０７）。
【００５５】
制御部４０は、ＦＥ信号にＳカーブを検出したか否かを判別する（ステップＳ１０８）。
【００５６】
ステップＳ１０８において、ＦＥ信号にＳカーブを検出していないと判別すると（ステップＳ１０８；ＮＯ）、制御部４０は、対物レンズ１１ｊが駆動下限に達したか否かを判別する（ステップＳ１１７）。
【００５７】
ステップＳ１１７において、対物レンズ１１ｊが駆動下限に達したと判別すると（ステップＳ１１７；ＹＥＳ）、制御部４０は、ディスク再生装置１００に光ディスク媒体９０が装填されていないと判別し（ステップＳ１１８）、処理を終了する。
【００５８】
ステップＳ１１７において、対物レンズ１１ｊが駆動下限に達していないと判別すると（ステップＳ１１７；ＮＯ）、処理をステップＳ１０８に戻す。
【００５９】
ステップＳ１０８において、ＦＥ信号にＳカーブを検出したと判別すると（ステップＳ１０８；ＹＥＳ）、制御部４０は、ステッピングモータドライバ回路６０を制御してビームエキスパンダ１１ｉの凹レンズ１１ｇを調整し、球面収差を補正する（ステップＳ１０９）。
【００６０】
制御部４０は、ステップＳ１０９における球面収差補正値Ｒｎと対物レンズ駆動値Ｐｎとを検出する（ステップＳ１１０）。
【００６１】
制御部４０は、球面収差補正値Ｒｎと対物レンズ駆動値Ｐｎとを記憶する（ステップＳ１１１）。
【００６２】
制御部４０は、ダウンスイープに伴い、変化する球面収差を補正する方向に所定の速度でビームエキスパンダ１１ｉの凹レンズ１１ｇの移動を開始させる（ステップＳ１１２）。
【００６３】
制御部４０は、カウンタｎに「１」を加算する（ステップＳ１１３）。
【００６４】
制御部４０は、ＦＥ信号にＳカーブを検出したか否かを判別する（ステップＳ１１４）。
【００６５】
ステップＳ１１４において、ＦＥ信号にＳカーブを検出したと判別すると（ステップＳ１１４；ＹＥＳ）、処理をステップＳ１０９に戻す。
【００６６】
ステップＳ１１４において、ＦＥ信号にＳカーブを検出していないと判別すると（ステップＳ１１４；ＮＯ）、制御部４０は、対物レンズ１１ｊが駆動下限に達したか否かを判別する（ステップＳ１１５）。
【００６７】
ステップＳ１１５において、対物レンズ１１ｊが駆動下限に達していないと判別すると（ステップＳ１１５；ＮＯ）、処理をステップＳ１１４に戻す。
【００６８】
ステップＳ１１５において、対物レンズ１１ｊが駆動下限に達したと判別すると（ステップＳ１１５；ＹＥＳ）、制御部４０は、カウンタｎから「１」を減算し（ステップＳ１１６）、処理を終了する。ステップＳ１１６の処理を行う理由は、検出したＦＥ信号のＳカーブには光ディスク媒体９０のディスク表面によるものが含まれているためである。
【００６９】
処理が終了したときのカウンタｎの値が、光ディスク媒体９０の記録面の層数である。
【００７０】
このようにして、ディスク再生装置１００は、光ディスク媒体９０の記録面の層数を正確に検出することが可能になる。
【００７１】
次に、第１の実施形態に係るディスク再生装置１００が行うディスク再生処理を説明する。ディスク再生装置１００は、ディスク層計数処理によって記憶された光ディスク媒体９０の各層の球面収差補正値Ｒと対物レンズ駆動値Ｐとに基づいて、ユーザが選択した層または予め決められている層を再生する。
【００７２】
図７に示すフローチャートを参照して、ディスク再生処理を説明する。
【００７３】
先ず、制御部４０は、外部装置（図不掲載）から光ディスク媒体９０を再生することを命令する信号を受信すると、光ディスク媒体９０の層の内、再生する層が選択されているか否かを判別する（ステップＳ２０１）。
【００７４】
ステップＳ２０１において、再生する層が選択されていると判別すると（ステップＳ２０１；ＹＥＳ）、制御部４０は、自身に記憶されていて、ユーザにより選択された層に対応する球面収差補正値Ｒに従って、凹レンズ１１ｇを駆動させる（ステップＳ２０２）。
【００７５】
制御部４０は、自身に記憶されていて、ユーザにより選択された層に対応する対物レンズ駆動値Ｐに従って、対物レンズ１１ｊを駆動させる（ステップＳ２０３）。
【００７６】
制御部４０は、選択された層を再生して（ステップＳ２０４）、処理を終了する。
【００７７】
ステップＳ２０１において、再生する層が選択されていないと判別すると（ステップＳ２０１；ＮＯ）、制御部４０は、自身に記憶されていて、所定の層に対応する球面収差補正値Ｒに従って、凹レンズ１１ｇを駆動させる（ステップＳ２０５）。
【００７８】
制御部４０は、自身に記憶されていて、所定の層に対応する対物レンズ駆動値Ｐに従って、対物レンズ１１ｊを駆動させる（ステップＳ２０６）。
【００７９】
制御部４０は、所定の層を再生して（ステップＳ２０７）、処理を終了する。
【００８０】
以上、説明したように第１の実施形態によれば、球面補正を行いながら、ダウンサーチを行うことで、光ディスク媒体の記録面の層数を正確に検出することが可能になる。また、光ディスク媒体の各層を再生するために最適な球面収差補正値と対物レンズ駆動値とを記憶し、それに基づいて光ディスク媒体を再生することが可能になる。
【００８１】
（第２の実施形態）
第１の実施形態では、光ディスク媒体９０のディスク表面によるものを含むＦＥ信号のＳカーブを計数し、最後に、計数した値から一を減算したが、ディスク表面によるＳカーブの振幅と記録面によるＳカーブの振幅とを分ける所定の閾値以上の振幅のＳカーブを計数するようにしてもよい。ただし、第２の実施形態に係るディスク再生装置の構成は、第１の実施形態と同様である。
【００８２】
図８に示す第２の実施形態におけるディスク層計数処理は、図６に示す第１の実施形態におけるディスク層計数処理とほぼ同様である。
【００８３】
ただし、ステップＳ３１４で、制御部４０は、ＦＥ信号においてディスク表面によるＳカーブの振幅と記録面によるＳカーブの振幅とを分ける所定の閾値以上の振幅のＳカーブを検出したか否かを判別する。そして、制御部４０は、記録面によるＦＥ信号のＳカーブのみを計数し、計数した値を光ディスク媒体９０の記録面の層数とする。
【００８４】
第２の実施形態によれば、第１の実施形態と同様の効果を得ることができる。ただし、第２の実施形態に於けるディスク再生処理は、第１の実施形態と同様である。
【００８５】
（第３の実施形態）
第１と第２の実施形態では、ディスク再生装置１００は、ダウンサーチによって光ディスク媒体の記録面の層数を検出したが、アップサーチによって光ディスク媒体の記録面の層数を検出してもよい。
【００８６】
また、ＦＥ信号のディスク表面によるＳカーブを計数しないようにするために、アップサーチを開始してから所定の時間内はＦＥ信号のＳカーブを計数しないようにしてもよい。ただし、第３の実施形態に係るディスク再生装置の構成は、第１の実施形態と同様である。
【００８７】
図９に示す第３の実施形態におけるディスク層計数処理を説明する。
【００８８】
先ず、光ディスク媒体９０がディスク再生装置１００に装填されると、制御部４０は、スピンドルモータドライバ回路を制御して、光ディスク媒体９０に所定の回転速度で回転を開始させる（ステップＳ４０１）。
【００８９】
制御部４０は、フォーカス・トラッキングドライバ回路５０を制御して対物レンズ１１ｊのダウンスイープを開始する（ステップＳ４０２）。
【００９０】
制御部４０は、対物レンズ１１ｊが駆動下限に達したか否かを判別する（ステップＳ４０３）。
【００９１】
対物レンズ１１ｊが駆動下限に達していないと判別すると（ステップＳ４０３；Ｎｏ）、ダウンスイープを続け、ステップＳ４０３に戻る。
【００９２】
対物レンズ１１ｊが駆動下限に達したと判別すると（ステップＳ４０３；Ｙｅｓ）、制御部４０は、対物レンズ１１ｊのダウンスイープを停止する（ステップＳ４０４）。
【００９３】
制御部４０は、ＬＤ１１ａに青紫レーザ光を照射させる（ステップＳ４０５）。
【００９４】
制御部４０は、フォーカス・トラッキングドライバ回路５０を制御して対物レンズ１１ｊのアップスイープを開始する（ステップＳ４０６）。
【００９５】
制御部４０は、アップスイープを開始してから所定の時間が経過したか否かを判別する（ステップＳ４０７）。
【００９６】
アップスイープを開始してから所定の時間が経過していないと判別すると（ステップＳ４０７；ＮＯ）、アップスイープを続け、ステップＳ４０７に戻る。
【００９７】
アップスイープを開始してから所定の時間が経過したと判別すると（ステップＳ４０７；ＹＥＳ）、制御部４０は、光ディスク媒体９０の記録面の層数を特定するために、カウンタｎに「０」を代入する（ステップＳ４０８）。
【００９８】
制御部４０は、ＦＥ信号にＳカーブを検出したか否かを判別する（ステップＳ４０９）。
【００９９】
ステップＳ４０９において、ＦＥ信号にＳカーブを検出していないと判別すると（ステップＳ４０９；ＮＯ）、制御部４０は、対物レンズ１１ｊが駆動上限に達したか否かを判別する（ステップＳ４１７）。
【０１００】
ステップＳ４１７において、対物レンズ１１ｊが駆動下限に達したと判別すると（ステップＳ４１７；ＹＥＳ）、制御部４０は、ディスク再生装置１００に光ディスク媒体９０が装填されていないと判別し（ステップＳ４１８）、処理を終了する。
【０１０１】
ステップＳ４１７において、対物レンズ１１ｊが駆動上限に達していないと判別すると（ステップＳ４１７；ＮＯ）、処理をステップＳ４０９に戻す。
【０１０２】
ステップＳ４０９において、ＦＥ信号にＳカーブを検出したと判別すると（ステップＳ４０９；ＹＥＳ）、制御部４０は、ステッピングモータドライバ回路７０を制御してビームエキスパンダ１１ｉの凹レンズ１１ｇを調整し、球面収差を補正する（ステップＳ４１０）。
【０１０３】
制御部４０は、ステップＳ４１０における球面収差補正値Ｒｎと対物レンズ駆動値Ｐｎとを検出する（ステップＳ４１１）。
【０１０４】
制御部４０は、球面収差補正値Ｒｎと対物レンズ駆動値Ｐｎとを記憶する（ステップＳ４１２）。
【０１０５】
制御部４０は、アップスイープに伴い、変化する球面収差を補正する方向に所定の速度でビームエキスパンダ１１ｉの凹レンズ１１ｇの移動を開始させる（ステップＳ４１３）。
【０１０６】
制御部４０は、カウンタｎに「１」を加算する（ステップＳ４１４）。
【０１０７】
制御部４０は、ＦＥ信号にＳカーブを検出したか否かを判別する（ステップＳ４１５）。
【０１０８】
ステップＳ４１５において、ＦＥ信号にＳカーブを検出したと判別すると（ステップＳ４１５；ＹＥＳ）、処理をステップＳ４１０に戻す。
【０１０９】
ステップＳ４１５において、ＦＥ信号にＳカーブを検出していないと判別すると（ステップＳ４１５；ＮＯ）、制御部４０は、対物レンズ１１ｊが駆動上限に達したか否かを判別する（ステップＳ４１６）。
【０１１０】
ステップＳ４１６において、対物レンズ１１ｊが駆動上限に達していないと判別すると（ステップＳ４１６；ＮＯ）、処理をステップＳ４１５に戻す。
【０１１１】
ステップＳ４１６において、対物レンズ１１ｊが駆動上限に達したと判別すると（ステップＳ４１６；ＹＥＳ）、処理を終了する。
【０１１２】
処理が終了したときのカウンタｎの値が、光ディスク媒体９０の記録面の層数である。
【０１１３】
第３の実施形態によれば、球面補正を行いながら、アップサーチを行うことで、光ディスク媒体の記録面の層数を正確に検出することが可能になる。ただし、第３の実施形態に於けるディスク再生処理は、第１の実施形態と同様である。
【０１１４】
（第４の実施形態）
第３の実施形態では、アップサーチを開始してから所定の時間内はＦＥ信号のＳカーブを計数しないようにして、ディスク表面によるＳカーブを計数しないようにした。第４の実施形態では、アップサーチにおいてディスク表面によるＳカーブの振幅と記録面によるＳカーブの振幅とを分ける所定の閾値以下の振幅のＳカーブを計数しないようにして、ディスク表面によるＳカーブを計数しないようにする。ただし、第４の実施形態に係るディスク再生装置の構成は、第１の実施形態と同様である。
【０１１５】
図１０に示す第４の実施形態におけるディスク層計数処理は、図８に示す第３の実施形態におけるディスク層計数処理とほぼ同様である。
【０１１６】
第４の実施形態におけるディスク層計数処理では、ステップＳ５０８でディスク表面によるＳカーブの振幅と記録面によるＳカーブの振幅とを分ける所定の閾値以上の振幅のＳカーブのみを計数することにより、ディスク表面によるＳカーブを計数しないようにする。
【０１１７】
第４の実施形態によれば、制御部４０による計時を行わずに第３の実施形態と同様な効果を得ることができる。ただし、第４の実施形態に於けるディスク再生処理は、第１の実施形態と同様である。
【０１１８】
以上、説明したように本発明の第１〜４の実施形態によれば、球面収差補正を行いながら、アップサーチまたはダウンサーチを行うことにより、光ディスク媒体の記録面の層数を正確に検出することができる。また、その際に取得した各層に最適な対物レンズの位置と球面収差補正値とを記憶し、再生時に利用できる。
【図面の簡単な説明】
【０１１９】
【図１】本発明の実施形態に係るディスク再生装置の構成を示す図である。
【図２】図１に示す光ピックアップの光学系の構成を示す図である。
【図３】図２に示す光学系のビームエキスパンダの動作を示す図である。
【図４】光ディスク媒体の構造を示す図である。
【図５】フォーカス位置とＦＥ信号におけるＳカーブとビームエキスパンダの動作との関係を示した図である。
【図６】第１の実施形態に於けるディスク層計数処理を説明するためのフローチャートである。
【図７】第１の実施形態に於けるディスク再生処理を説明するためのフローチャートである。
【図８】第２の実施形態に於けるディスク層計数処理を説明するためのフローチャートである。
【図９】第３の実施形態に於けるディスク層計数処理を説明するためのフローチャートである。
【図１０】第４の実施形態に於けるディスク層計数処理を説明するためのフローチャートである。
【符号の説明】
【０１２０】
１０    光ピックアップ
１１    光学系
１１ａ  ＬＤ（Laser Diode）
１１ｂ  コリメータレンズ
１１ｃ  ビーム成形プリズム
１１ｄ  偏光ビームスプリッタ
１１ｅ  ＡＰＣ用受光素子
１１ｆ  １／４波長板
１１ｇ  凹レンズ
１１ｈ  凸レンズ
１１ｉ  ビームエキスパンダ
１１ｊ  対物レンズ
１１ｋ  偏光ビームスプリッタ
１１ｌ  受光素子
１１ｍ  受光素子
１２    フォーカス・トラッキングアクチュエータ
１３    ステッピングモータ
２０    信号生成回路
３０    信号処理回路
３１    位相補償回路
３２    復調回路
３３    ＰＬＬ回路
４０    制御部
５０    フォーカス・トラッキングドライバ回路
６０    スピンドルモータドライバ回路
７０    ステッピングモータドライバ回路
８０    スピンドルモータ
９０    光ディスク媒体
１００  ディスク再生装置
【図１】
2008103039.tif 000003
【図２】
2008103039.tif 000004
【図３】
2008103039.tif 000005
【図４】
2008103039.tif 000006
【図５】
2008103039.tif 000007
【図６】
2008103039.tif 000008
【図７】
2008103039.tif 000009
【図８】
2008103039.tif 000010
【図９】
2008103039.tif 000011
【図１０】
2008103039.tif 000012